(57)【要約】      （修正有）【課題】装飾効果の向上に寄与する装飾用シートを提供する。【解決手段】装飾用シート１０は、造形物の三次元形状及びその表面の色を表現する三次元データに基づいて造形物の画像１６が印刷された表面１４を有する。装飾用シート１０は、さらに、布１２の裏面に付されたフィルム状の感熱性接着剤を有する。【選択図】図１
0003208643.tif 000002
【実用新案登録請求の範囲】
【請求項１】
造形物の三次元形状及びその表面の色を表現する三次元データに基づいて前記造形物の画像が印刷された表面を有する合成繊維製の布を含む、装飾用シート。
【請求項２】
さらに、前記布の裏面に付されたフィルム状の感熱性接着剤を含む、請求項１に記載の装飾用シート。
【請求項３】
前記造形物は、刺繍柄又はジャカード柄からなる、請求項１又は２に記載の装飾用シート。
【考案の詳細な説明】
【技術分野】
【０００１】
本考案は、ギフト包装用リボン、ディスプレイ用リボン、衣類に付されるプリントラベル等として用いられる装飾用シートに関する。
【背景技術】
【０００２】
従来、ギフト包装用、ディスプレイ用のリボンや、繊維製品のプリントラベル、ワッペン、シール等として用いられる装飾用シートが提案されている。前記ギフト包装用リボンやディスプレイ用リボンに用いられる装飾用シートは、花のような物体の画像が印刷された合成繊維製の布からなる。また、前記プリントラベル等として用いられる装飾用シートは、さらに、前記布の画像印刷面（表面）と反対の面（裏面）に付された感熱性接着剤を有し、前記感熱性接着剤を介して繊維製品に貼り付けられる（後記特許文献１を参照）。
【０００３】
ところで、前記従来の装飾用シートにあっては、その画像が物体の二次元形状を表現する二次元データに基づいて印刷されている。このため、前記画像が表現するところは比較的平面的である。
【先行技術文献】
【特許文献】
【０００４】
【特許文献１】実用新案登録第３１４１９５１号公報
【考案の概要】
【考案が解決しようとする課題】
【０００５】
ここで、前記画像における前記物体の表面を表す凹凸がより際だち、また、これにより前記画像がより立体的な印象を与えるものであれば、前記装飾用シートが有する装飾効果がより一層高められると考えられる。本考案の目的は、このような装飾効果の向上に寄与する装飾用シートを提供することにある。
【課題を解決するための手段】
【０００６】
本考案に係る装飾用シートは、造形物の三次元形状及びその表面の色を表現する三次元データに基づいて前記造形物の画像が印刷された表面を有する合成繊維製の布を含む。前記造形物は、例えば、刺繍柄又はジャカード柄からなる。
【０００７】
本考案によれば、前記装飾用シートに表された前記画像は、造形物についてその三次元データに基づいてカラー又はモノクロの画像として印刷されている。このことから、前記画像は、従来の写真のような画像と比べて、前記造形物の表面の凹凸をより鮮明に表し、見る者に立体的な印象を与え、また、より高い装飾効果を与える。この装飾用シートは、これを細長い平面形状を有するものとすることにより、例えばギフト包装用、ディスプレイ用等のリボンとしての使用に供することができる。
【０００８】
装飾用シートは、さらに、前記布の裏面にフィルム状の感熱性接着剤が付されたものとすることができる。これによれば、前記装飾用シートを、従来におけると同様、前記感熱性接着剤を介して、例えばＴシャツのような衣類の表面に貼り付けられるプリントラベルやワッペン、シール等としての使用に供することできる。あるいは、前記プリントラベルやワッペン、シール等としての使用のために、前記感熱用接着剤が付されていない前記装飾用シートを前記衣類に縫いつけることができる。
【０００９】
本考案に係る前記装飾用シートは、次のようにして製造することができる。すなわち、刺繍柄、ジャカード柄等からなる造形物の三次元形状及びその表面の色を表現する三次元データを取得し、取得した前記三次元データに基づいて、合成繊維製の布の表面に前記造形物の画像を印刷することにより、あるいは、さらに、前記画像の印刷に先立ち又はその後に、前記布の裏面にフィルム状の感熱性接着剤を付することにより、製造することができる。
【図面の簡単な説明】
【００１０】
【図１】本考案に係る装飾用シートの概略的な平面図である。
【考案を実施するための形態】
【００１１】
図１を参照すると、本考案に係る装飾用シートが全体に符号１０で示されている。
【００１２】
装飾用シート１０は、ナイロン繊維、ポリエステル繊維等からなる合成繊維製の布１２を含む。布１２は造形物の画像１６が印刷された表面１４を有する。
【００１３】
印刷の対象である前記造形物は、物品、動植物、風景等を模して立体的に形成されたものからなる。図示の例において、前記造形物は、花を模して形成された刺繍柄からなる。前記刺繍柄は、生地に刺され該生地上に盛り上がる種々の色の刺繍糸により構成されている。前記刺繍柄の盛り上がりの高さは、例えば、約２ｍｍとすることができる。前記造形物は、図示の刺繍柄に代えて、例えば、ジャカード柄からなるものとすることができる。前記ジャカード柄は、ジャカード織機で織られたジャカード織における立体的な模様により構成されている。
【００１４】
装飾用シート１０は全体に細長く伸びる平面形態を呈するリボンとして、これを、例えば、ギフトの包装、ディスプレイ等に用いることができる。前記リボンは、例えば、単一の造形物の複数の画像であって前記リボンの伸長方向に繰り返される複数の画像を有するもの、又は、複数の異なる造形物の複数の画像を有するものとすることができる。
【００１５】
また、装飾用シート１０は、さらに、布１２の裏面に付され該裏面の全部を覆うフィルム状の感熱性接着剤（図示せず）を有するものとすることができる。前記感熱性接着剤を有する装飾用シート１０の例においては、前記感熱性接着剤を介して、例えばＴシャツのような衣料品に一又は複数の画像１６が印刷された布１２を貼り付け、プリントラベル、ワッペン、シール等とすることができる。この例おいては、また、装飾用シート１０から画像１６の印刷部分に相当する部分を切り抜いて使用に供することができる。なお、前記感熱性接着剤を有しない装飾用シート１０を前記衣料品に縫いつけることによっても、前記衣料品に対するプリントラベル、ワッペン、シール等としての使用に供することができる。
【００１６】
前記Ｔシャツへの布１２の貼り付けは、前記感熱性接着剤を前記Ｔシャツに押し当て、布１２の表面１４を例えばアイロンで加熱及び加圧することにより行う。これによれば、布１２は、前記加熱及び加圧により熱溶融しその後に固化する前記感熱性接着剤の固化物を介して、前記Ｔシャツに固着する。この例にあっては、好ましくは、予め、装飾用シート１０に画像１６の輪郭に沿って伸びる切れ目（図示せず）を設けておく。前記切れ目は、画像１６の印刷部分の分離を防止するため、布１２の表面１４からその裏面に向けて伸び、前記感熱性接着剤をその薄皮を残して切断してなるものであることが望ましい。
【００１７】
布１２の表面１４上への画像１６の印刷は、前記造形物の三次元形状及びその表面の色を表現する三次元データに基づいてなされている。
【００１８】
前記造形物の三次元データは、前記造形物をスキャニングすることにより、得ることができる。前記造形物についてのスキャニングは、市販のスキャナー（例えば、京都府に所在のニューリー(株)製「スキャメラ」）を用いて、あるいは、当該スキャニングを行うサービス業者に依頼して行うことができる。
【００１９】
また、画像１６は、取得した前記三次元データを印刷情報として印刷可能であるインクジェットプリンター（例えば、東京都に所在の(株)ミマキエンジニアリング製「JV33Series」）を用いて、又は、当該印刷を行うサービス業者に依頼して、布１２の表面１４に印刷することができる。
【００２０】
なお、印刷される画像１６は、前記三次元データにおける前記色に関するデータが有彩色に係るものであるときはカラーの画像１６であり、また、無彩色に係るものであるときはモノクロの画像である。また、布１２の表面１４への前記印刷は、前記インクジェットプリンターで紙に画像１６を印刷した後、当該画像を布１２の表面１４上に転写することによっても行うことが可能である。
【００２１】
布１２の表面１４に画像１６を印刷した後、前記フィルム状の感熱性接着剤を布１２の裏面に固着する。これに代えて、布１２の表面１４への画像１６の印刷前に、前記フィルム状の感熱性接着剤を布１２の裏面に固着することができる。また、前記感熱性接着剤は、その液状物を布１２の裏面に塗布することによっても付することができる。
【符号の説明】
【００２２】
１０  装飾用シート
１２  布
１４  布の表面
１６  画像
【図１】
0003208643.tif 000003